(57)【要約】【課題】プレビューモードで撮影された画像を記録できるようにする。【解決手段】プレビューモードにおいて、レリーズ釦が押されると、シャッタ５が開き、被写体からの光がレンズ１、絞り２、およびハーフミラー３を介してＣＣＤ９に入射し、ＣＣＤ９において光電変換され、光電変換された電気信号は、信号処理回路１１において補正処理が施された後、画像データとしてフレームメモリ５１に記憶される。この画像データは、圧縮伸張回路１２、コネクタ５５を介してモニタ５６に供給され、表示される。記録釦５２が押されると、制御回路１４の制御により、モニタ５６に表示されている画像に対応する画像データがフレームメモリ５１から読み出され、メモリカード１３に供給され、記録される。【選択図】図７
2006352925.tif 000002
【特許請求の範囲】
【請求項１】
被写体の画像を任意の回数連続して撮像可能な連写モードを有するデジタルカメラであって、
被写体の画像を撮像する撮像手段と、
前記撮像手段により、前記被写体の画像を任意の回数連続して撮像するように制御する制御手段と、
任意の回数連続して撮像した複数の画像を、撮像後に所定の画面に、自動的に撮像順に順次表示させる表示制御手段と、
任意の回数連続して撮像した複数の画像のうち、最後に撮像された画像を判定する判定手段とを備え、
前記表示制御手段は、前記判定手段により最後に撮像された画像であると判定された画像が表示されている場合、その画像を表示させた状態を維持する
ことを特徴とするデジタルカメラ。
【請求項２】
前記表示制御手段が最後に撮像された画像を表示させた状態を維持した後に、複数の前記画像の中の所定の画像を前記所定の画面に表示するために操作する操作手段
をさらに備えることを特徴とする請求項１に記載のデジタルカメラ。
【請求項３】
被写体の画像を任意の回数連続して撮像可能な連写モードを有するデジタルカメラであって、被写体の画像を撮像する撮像手段と、前記撮像手段により、前記被写体の画像を任意の回数連続して撮像するように制御する制御手段と、任意の回数連続して撮像した複数の画像を、撮像後に所定の画面に、自動的に撮像順に順次表示させる表示制御手段と、任意の回数連続して撮像した複数の画像のうち、最後に撮像された画像を判定する判定手段とを備えるデジタルカメラで使用される制御プログラムを記録した記録媒体であって、
前記撮像手段が、前記被写体の画像を任意の回数連続して撮影するように制御手段に制御させ、表示制御手段が、任意の回数連続して撮像した複数の画像を、撮像後に所定の画面に、自動的に撮像順に順次表示させるように制御し、前記判定手段が、任意の回数連続して撮像した複数の画像のうち、最後に撮像された画像を判定するように制御し、前記表示制御手段が、前記判定手段により最後に撮像された画像であると判定された画像が表示されている場合、その画像を表示させた状態を維持するように制御する制御プログラムを記録した
ことを特徴とする記録媒体。
【発明の詳細な説明】
【技術分野】
【０００１】
本発明は、デジタルカメラおよび記録媒体に関し、例えば、撮像した画像をモニタ等の画面に表示することができるデジタルカメラおよび記録媒体に関する。
【背景技術】
【０００２】
デジタルカメラは、ＣＣＤ(charge coupled device)等の撮像素子によって被写体像を撮像し、撮影結果である画像データをデジタル変換した後、メモリカード等の記録媒体に記録する。記録されたデータに対応する画像は、デジタルカメラに外部接続されたモニタに表示されるか、デジタルカメラに内蔵されている液晶ディスプレイ等のモニタに表示される。
【０００３】
また、試し撮りを行うためのプレビューモードを備えるものがある。その場合、撮影した画像は画面に表示されるだけで、メモリカードへの記録は行われない。
【発明の開示】
【発明が解決しようとする課題】
【０００４】
しかしながら、プレビューモードにおいて表示された画像をメモリカード等の記録媒体に記録することができないため、プレビューモードにおいて良好な画像が撮影された場合でも、それをデータとして残すことができない課題があった。
【課題を解決するための手段】
【０００５】
請求項１に記載のデジタルカメラは、被写体の画像を撮像する撮像手段（例えば、図７のＣＣＤ９）と、撮像手段により、被写体の画像を任意の回数連続して撮像するように制御する制御手段（例えば、図７の制御回路１４）と、任意の回数連続して撮像した複数の画像を、撮像後に所定の画面に、自動的に撮像順に順次表示させる表示制御手段（例えば、図７の制御回路１４）と、任意の回数連続して撮像した複数の画像のうち、最後に撮像された画像を判定する判定手段とを備え、表示制御手段は、判定手段により最後に撮像された画像であると判定された画像が表示されている場合、その画像を表示させた状態を維持することを特徴とする。
【０００６】
また、表示制御手段が所定の画面に表示させる、最後に撮像された画像を表示させた状態を維持した後に、複数の画像の中の所定の画像を所定の画面に表示するために操作する操作手段（例えば、図３のコマンドダイヤル３３）をさらに設けるようにすることができる。
【０００７】
請求項３に記載の記録媒体は、撮像手段が、被写体の画像を所定の任意の回数連続して撮像するように制御手段に制御させ、表示制御手段が、任意の回数連続して撮像した複数の画像を、撮像後に所定の画面に、自動的に撮像順に順次表示させるように制御し、判定手段が、任意の回数連続して撮像した複数の画像のうち、最後に撮像された画像を判定するように制御し、表示制御手段が、判定手段により最後に撮像された画像であると判定された画像が表示されている場合、その画像を表示させた状態を維持するように制御する制御プログラムを記録したことを特徴とする。
【０００８】
請求項１に記載のデジタルカメラにおいては、制御手段が、撮像手段により、被写体の画像を任意の回数連続して撮像するように制御し、表示制御手段が、任意の回数連続して撮像した複数の画像を、撮像後に所定の画面に、自動的に撮像順に順次表示させ、判定手段が、任意の回数連続して撮像した複数の画像のうち、最後に撮像された画像を判定し、前記表示制御手段が、判定手段により最後に撮像された画像であると判定された画像が表示されている場合、その画像を表示させた状態を維持する。
【０００９】
請求項３に記載の記録媒体においては、制御手段が、撮像手段により、被写体の画像を任意の回数連続して撮像するように制御し、表示制御手段が、任意の回数連続して撮像した複数の画像を、撮像後に所定の画面に、自動的に撮像順に順次表示させ、判定手段が、任意の回数連続して撮像した複数の画像のうち、最後に撮像された画像を判定し、前記表示制御手段が、判定手段により最後に撮像された画像であると判定された画像が表示されている場合、その画像を表示させた状態を維持するように制御する制御プログラムを記録した。
【発明の効果】
【００１０】
請求項１に記載のデジタルカメラによれば、制御手段が、撮像手段により、被写体の画像を任意の回数連続して撮像するように制御し、表示制御手段が、任意の回数連続して撮像した複数の画像を、撮像後に所定の画面に、自動的に撮像順に順次表示させ、判定手段が、任意の回数連続して撮像した複数の画像のうち、最後に撮像された画像を判定し、前記表示制御手段が、判定手段により最後に撮像された画像であると判定された画像が表示されている場合、その画像を表示させた状態を維持するようにしたので、良好な画像を残すことができる。
【００１１】
請求項３に記載の記録媒体によれば、撮像手段が、被写体の画像を任意の回数連続して撮影するように制御手段に制御させ、表示制御手段が、任意の回数連続して撮像した複数の画像を、撮像後に所定の画面に、自動的に撮像順に順次表示させるように制御し、判定手段が、任意の回数連続して撮像した複数の画像のうち、最後に撮像された画像を判定するように制御し、表示制御手段が、判定手段により最後に撮像された画像であると判定された画像が表示されている場合、その画像を表示させた状態を維持するように制御する制御プログラムを記録したので、良好な画像を残すことができる。
【発明を実施するための最良の形態】
【００１２】
図１は、本発明のデジタルカメラ（以下では、適宜カメラと略記する）の一実施の形態の正面図を示している。ここでは、後述するレンズ１（図７）が装着されていない場合の例を示している。レンズ１がカメラ本体１００に装着されているか否かは、レンズ１をカメラ本体１００に取り付けるレンズ装着部２７に設けられたＣＰＵ信号接点２８を介して、後述する制御回路１４がレンズ１との間で信号のやりとりを行うことによって検出されるようになされている。レンズ装着部２７の奥には、後述するクイックリターンミラー３が設けられている。絞りダイヤル３９は、絞り値を設定するとき使用される。
【００１３】
図２は、図１に示したカメラの背面図である。カード挿入イジェクトレバー２９は、イジェクトレバーロック釦３０を押しながら、スライドさせることにより、裏蓋（カード挿入部）３１を開閉することができるようになされている。裏蓋３１には、メモリカード在否確認窓３２が設けられており、メモリカード１３が本体に挿入されているか否かを目視により確認することができるようになされている。
【００１４】
コマンドダイヤル３３は、エンドレスに回転させることができるとともに、クリック動作ができるようになされている。これを単独で使用する場合にはシャッタスピード値を設定することができ、各設定釦と併用する場合には、所定の情報の設定を行うことができるようになされている。ファインダ表示部４６は、ＬＣＤやＬＥＤ(light emitting diode)等により構成され、ファインダ４５内に設けられ、各種の情報を表示するようになされている。
【００１５】
図３は、図１に示したカメラの平面図である。感度切り換えスイッチ２１は、コマンドダイヤル３３と併用することにより、感度切り換えを行うことができるようになされている。露出補正切り換えスイッチ２３は、コマンドダイヤル３３と併用することにより、露出補正値を設定することができるようになされている。測光モード切り換えスイッチ２２は、コマンドダイヤル３３と併用することにより、測光モードを切り換えることができるようになされている。例えば、マルチパターン測光において、測光する対象を選択し、決定することができる。
【００１６】
レリーズ釦３４は、半押しすると図７を参照して後述する作動回路がオンにされ、フォーカス制御が行われる。また、全押しすると、レリーズするようになされている。表示装置（外部ＬＣＤ(liquid crystal display)パネル）１５は、図４に示すように、各種の情報を表示するようになされている。表示領域Ａには圧縮モードが、表示領域Ｂには撮影時の感度、即ち、後述するＣＣＤ９の感度が、表示領域Ｃには、ホワイトバランスの設定モードが、表示領域Ｄには露出モードが、表示領域Ｅには露出補正の有無がそれぞれ表示される。また、表示領域Ｆには測光モードが、表示領域Ｇにはバッテリ残量が、表示領域Ｈには絞り値が、表示領域Ｉにはシャッタ速度が、表示領域Ｊにはメモリカード１３に記録可能な残り枚数が、表示領域Ｋには次回撮影時のコマ番号がそれぞれ表示される。
【００１７】
図５は、図１のカメラの右側面図である。コマンドロック釦３５を押しながら、コマンドダイヤル３３を左右いずれかの方向に回すと、表示装置１５に表示されている設定シャッタスピード値がロックされる。また、コマンドロック釦３５を押しながら、絞りダイヤル３９を左右いずれかの方向に回すと、表示装置１５に表示されている設定絞り値がロックされる。
【００１８】
図５において、蓋４０の中には、図６に示すような３つの釦が設けられており、最上部の釦と真ん中の釦とで一括消去スイッチ３８を構成し、これらの釦を同時に押すことにより、メモリカード１３に記録されている全てのデータを一括して消去することができるようになされている。また、真ん中の釦（コマ消去釦２５Ａ）と最下部の釦（コマ消去釦２５Ｂ）とでコマ消去スイッチ２５を構成し、これらの釦を同時に押すことにより、メモリカード１３に記録されているデータのうち、直前に記録された最後のデータ（コマ）を消去するようになされている。
【００１９】
図７は、図１乃至図６に示した電子スチルカメラの詳細な構成例を示すブロック図である。レンズ１は、被写体からの光束を集束するようになされている。絞り２は、レンズ１からの光束の光量を調節するようになされている。クイックリターンミラー３は、レンズ１及び絞り２を介して入射する被写体からの光束の一部を反射し、多分割ＳＰＤ(silicon photo diode)４に導くとともに、一部を透過するようになされている。多分割ＳＰＤ４は、複数の測光素子より構成され、被写界を複数の領域に分けて測光するようになされている。測光アンプ６は、各測光素子の出力を増幅するようになされている。
【００２０】
絞り駆動回路７は、絞り２の絞り量を変更するようになされている。シャッタ駆動回路８は、シャッタ５の開閉を制御するようになされている。ＣＣＤ(charge coupled device)９は、シャッタ５の開閉に応じて被写体からの光束を受光し、受光量に応じた信号電荷を蓄積するとともに、蓄積した信号電荷を画像データとして出力するようになされている。ＣＣＤ駆動回路１０は、ＣＣＤ９による電荷蓄積および電荷転送を制御するようになされている。信号処理回路１１は、ＣＣＤ９から出力された画像データに対して、ホワイトバランス調整、γ補正、および輪郭補正等の補正処理を施すようになされている。
【００２１】
フレームメモリ５１は、信号処理回路１１において補正処理された画像データを一時的に記憶するようになされている。圧縮伸張回路１２は、フレームメモリ５１からの画像データを、例えばＪＰＥＧ(Joint Photographic Experts Group)等の方式により圧縮し、メモリカード１３に供給するようになされている。また、メモリカード１３より読み出された画像データを伸張し、コネクタ５５に接続された外部のモニタ５６に出力するようになされている。メモリカード１３は、圧縮伸張回路１２より供給された画像データを記憶したり、記憶した画像データを圧縮伸張回路１２に供給するようになされている。
【００２２】
制御回路１４は、絞り駆動回路７、シャッタ駆動回路８、ＣＣＤ駆動回路１０等を制御するとともに、露出演算等の演算処理を行うようになされている。また、モータ２６を制御し、クイックリターンミラー３を回動させ、レンズ１および絞り２を介して入射する光束の外側にクイックリターンミラー３を退避させるようになされている。また、オートフォーカス（ＡＦ）モータ４３を制御し、フォーカス制御を行うようになされている。さらに、レンズ１がカメラ本体１００に装着されているか否かを検出するようになされている。
【００２３】
また、検出回路５４は、コネクタ５５を介してモニタ５６が接続されているか否かを検出するようになされており、制御回路１４は、検出回路５４の検出結果に応じた処理を行うようになされている。
【００２４】
表示装置１５は、図４を参照して上述したように、例えば、ＬＣＤ等により構成され、撮影や再生に必要な各種の情報を表示するようになされており、例えばカメラ本体１００の上部に設けられている。
【００２５】
スイッチ１６は、カメラ各部に電力を供給するか否かを切り換えるようになされている。スイッチ１７は、レリーズ釦３４が半押しされたときオンにされるようになされている。スイッチ１８は、レリーズ釦３４が全押しされたときオンにされるようになされている。
【００２６】
撮影／再生選択スイッチ１９は、撮影を行うのか、再生を行うのかを切り換えるとき操作される。パルス発生器２０は、コマンドダイヤル３３が所定量だけ回転される度に、パルス信号を出力するようになされている。感度切り換えスイッチ２１は、ＣＣＤ９の感度を切り換えるとき操作される。測光モード切り換えスイッチ２２は、測光モードを切り換えるとき操作される。露出補正切り換えスイッチ２３は、露出補正を切り換えるとき操作される。
【００２７】
撮影モード切り換えスイッチ２４は、プログラムモード、絞り優先モード、シャッタ優先モード等の撮影モードを切り換えるとき操作される。図６に示したように、コマ消去釦２５Ａ，２５Ｂの２つの釦は、コマ消去スイッチ２５を構成し、メモリカード１３から画像データを消去するとき操作される。
【００２８】
記録釦５２は、フレームメモリ５１に記憶された画像データをメモリカード１３に記録するとき操作される。プレビューモード設定釦５３Ａは、プレビューモードにするとき操作され、プレビューモード終了釦５３Ｂは、プレビューモードを終了させるとき操作される。
【００２９】
上記ＣＣＤ９、信号処理回路１１、ＣＣＤ駆動回路１０、圧縮伸張回路１２とで、撮像系を構成している。また、多分割ＳＰＤ４および測光アンプ６により測光系が構成されている。
【００３０】
図８は、プレビューモードにおいて撮影された画像を記録する手順を説明するフローチャートである。最初に、ステップＳ１において、プレビューモード設定釦５３Ａを操作し、プレビューモードにする。プレビューモードにおいて撮影された画像は、フレームメモリ５１に記憶されるだけであり、メモリカード１３には記録されない。
【００３１】
次に、ステップＳ２に進み、撮影条件を設定する。ステップＳ３においては、撮影者によりレリーズ釦３４が押されることにより、撮影が行われる。即ち、レンズ１、絞り２等を介して入射する被写体からの光束がＣＣＤ９により受光され、光電変換された後、信号処理回路１１に供給される。ステップＳ４においては、撮影された画像に対応する画像データが、信号処理回路１１において補正処理が施された後、一旦、フレームメモリ５１に供給され、記憶される。
【００３２】
フレームメモリ５１に記憶された画像データは、圧縮伸張回路１２、コネクタ５５を介してモニタ５６に供給され、表示される。次に、ステップＳ６において、制御回路１４により、記録釦５２が押されたか否かが判定される。記録釦５２が押されたと判定された場合、ステップＳ８に進み、モニタ５６に表示された画像に対応する画像データがメモリカード１３に記録される。
【００３３】
一方、記録釦５２が押されていないと判定された場合、ステップＳ７に進み、プレビューモード終了釦５３Ｂが押されたか否かが判定される。プレビューモード終了釦５３Ｂが押されていないと判定された場合、ステップＳ６に戻り、ステップＳ６以降の処理が繰り返し実行される。
【００３４】
ステップＳ７において、プレビューモード終了釦５３Ｂが押されたと判定された場合、または、ステップＳ８の処理が終了した場合、本処理を終了する。
【００３５】
このように、プレビューモードで撮影された画像が良好であれば、それをメモリカード１３に記録することができる。
【００３６】
次に、図９のフローチャートを参照して、連写時のプレビューにおいて、任意の画像を表示する処理手順について説明する。最初に、ステップＳ１１において、撮影者により、連写時のプレビューモードが設定される。次に、ステップＳ１２において、撮影条件が設定され、ステップＳ１３において、連写された複数の画像の中の任意の１コマが表示コマとして設定される。これは、コマンドダイヤル３３を用いて所定のコマの番号を選択することにより行われる。例えば、最初から何コマ目であるというように設定される。
【００３７】
ステップＳ１４においては、撮影者により、レリーズ釦３４が押され、撮影が行われる。ステップＳ１５においては、撮影された画像に対応する画像データが、信号処理回路１１において補正処理が施された後、フレームメモリ５１に取り込まれる。ステップＳ１６においては、フレームメモリ５１に取り込まれた画像のうち、ステップＳ１３において設定された表示コマに対応する画像データが、制御回路１４の制御により、コネクタ５５を介してモニタ５６に供給され、表示される。
【００３８】
ステップＳ１７においては、記録釦５２が押されたか否かが判定される。記録釦５２が押されたと判定された場合、ステップＳ１９に進む。ステップＳ１９においては、ステップＳ１６においてモニタ５６に表示された表示コマに対応する画像データがメモリカード１３に記録される。
【００３９】
ステップＳ１７において、記録釦５２が押されていないと判定された場合、ステップＳ１８に進み、プレビューモード終了釦５３Ｂが押されたか否かが判定される。プレビューモード終了釦５３Ｂが押されていないと判定された場合、ステップＳ１７に戻り、ステップＳ１７以降の処理が繰り返し実行される。一方、プレビューモード終了釦５３Ｂが押されたと判定された場合、または、ステップＳ１９における処理が終了した場合、本処理を終了する。
【００４０】
このように、撮影前に、プレビューモードにおいて連写された画像の中の所定のコマの画像をプレビューとして表示させるように予め設定しておき、連写撮影が終了した時点で、設定された任意の１コマをモニタ５６に表示させることができる。また、その画像をメモリカード１３に記録することができる。
【００４１】
次に、図１０のフローチャートを参照して、連写時のプレビューにおいて、任意の画像を表示する他の処理手順について説明する。最初に、ステップＳ２１において、撮影者により、連写時のプレビューモードが設定される。次に、ステップＳ２２において、撮影条件が設定される。
【００４２】
ステップＳ２３においては、撮影者により、レリーズ釦３４が押され、撮影が行われる。次に、ステップＳ２４において、撮影された画像に対応する画像データが、信号処理回路１１において補正処理が施された後、フレームメモリ５１に取り込まれる。ステップＳ２５においては、連写された複数の画像の内の任意の１コマが表示コマとして設定される。これは、コマンドダイヤル３３を用いて所定のコマの番号を選択することにより行われる。例えば、最初から何コマ目であるというように設定される。
【００４３】
ステップＳ２６においては、フレームメモリ５１に取り込まれた画像のうち、ステップＳ２５において設定された表示コマに対応する画像データが、制御回路１４の制御により、モニタ５６に供給され、表示される。
【００４４】
ステップＳ２７においては、記録釦５２が押されたか否かが判定される。記録釦５２が押されたと判定された場合、ステップＳ２９に進む。ステップＳ２９においては、ステップＳ２６においてモニタ５６に表示された表示コマに対応する画像データがフレームメモリ５１から読み出され、メモリカード１３に記録される。
【００４５】
ステップＳ２７において、記録釦５２が押されていないと判定された場合、ステップＳ２８に進み、プレビューモード終了釦５３Ｂが押されたか否かが判定される。プレビューモード終了釦５３Ｂが押されていないと判定された場合、ステップＳ２７に戻り、ステップＳ２７以降の処理が繰り返し実行される。一方、プレビューモード終了釦５３Ｂが押されたと判定された場合、または、ステップＳ２９における処理が終了した場合、本処理を終了する。
【００４６】
このように、プレビューモードにおける連写撮影が終了した後、撮影された画像の内の所定の画像をプレビューとして表示させるように設定し、設定された任意の１コマをモニタ５６に表示させることができる。また、その画像を必要に応じてメモリカード１３に記録することができる。
【００４７】
次に、図１１のフローチャートを参照して、連写時のプレビューにおいて、連写枚数に応じて表示画面を分割する場合の処理手順について説明する。最初に、ステップＳ３１において、撮影者により、連写時のプレビューモードが設定される。次に、ステップＳ３２において、撮影条件が設定される。
【００４８】
ステップＳ３３においては、撮影者により、レリーズ釦３４が押され、撮影が行われる。次に、ステップＳ３４において、撮影された画像に対応する画像データが、信号処理回路１１において補正処理が施された後、フレームメモリ５１に取り込まれる。
【００４９】
ステップＳ３５においては、制御回路１４により、連写枚数に応じて表示画面が分割される。例えば、連写された画像の数をＮ（自然数）とし、任意の自然数をＭとしたとき、ＮがＭの２乗より大きいかまたは等しく、かつＮが（Ｍ＋１）の２乗より小さい条件を満たす（Ｍ＋１）の２乗個に画面が分割される。従って、例えば、連写した画像の数が３のとき、図１２に示すように、画面が４つの領域に分割される。また、連写された画像の数が８のとき、図１３に示すように、画面が９つの領域に分割される。そして、連写された画像が各領域に順次表示される。
【００５０】
ステップＳ３６においては、図１４に示すように、先頭の画像（この例の場合、画像Ａ）にカーソルが点滅表示される。次に、ステップＳ３７において、選択スイッチとしてのコマンドダイヤル３３が押されたか否かが判定される。
【００５１】
ステップＳ３７において、コマンドダイヤル３３が押されていないと判定された場合、または、後述するステップＳ３９における処理が終了した場合、またはステップＳ４０における処理が終了した場合、ステップＳ４１に進む。
【００５２】
ステップＳ４１においては、プレビューモード終了釦５３Ｂが押されたか否かが判定される。プレビューモード選択釦５３Ｂが押されていないと判定された場合、ステップＳ４２に進み、記録釦５２が押されたか否かが判定される。記録釦５２が押されていないと判定された場合、ステップＳ４３に進み、コマンドダイヤル３３が回されたか否かが判定される。コマンドダイヤル３３が回されていないと判定された場合、ステップＳ３７に戻り、ステップＳ３７以降の処理が繰り返し実行される。一方、コマンドダイヤル３３が回されたと判定された場合、ステップＳ４４に進み、制御回路１４により、次の画像にカーソルが移動し、点滅表示するように制御され、ステップＳ３７に戻る。
【００５３】
また、ステップＳ３７において、コマンドダイヤル３３が押されたと判定された場合、ステップＳ３８に進み、カーソルが点滅表示されているか否かが判定される。ステップＳ３８において、カーソルが点滅表示されていると判定された場合、ステップＳ３９に進み、制御回路１４は、この点滅表示されているカーソルの位置に表示されている画像が選択されたものと判定し、点滅しているカーソルの表示を点灯表示に変える。一方、カーソルが点滅表示されていない（点灯表示されている）と判定された場合、ステップＳ４０に進み、制御回路１４は、このカーソルが点灯表示されている位置に表示されている画像の選択が取り消されたと判断し、点灯しているカーソルの表示を点滅表示に変える。このように、コマンドダイヤル３３を用いて任意の画像を選択することができる。
【００５４】
そして、ステップＳ４２において、記録釦５２が押されたと判定された場合、ステップＳ４５に進み、モニタ５６の画面において、カーソルが点灯表示されている画像（選択された画像）が、メモリカード１３に記録される。
【００５５】
ステップＳ４５における処理が終了した場合、またはステップＳ４１において、プレビューモード終了釦５３Ｂが押されたと判定された場合、本処理を終了する。
【００５６】
例えば、図１４に示すように、選択されていない画像（この例の場合、画像Ａ）上にカーソルが位置している場合、カーソルが点滅表示され、図１５に示すように、既に選択された画像（この例の場合、画像Ｆ）上にカーソルを移動させると、カーソルが点灯表示される。従って、既に選択された画像を容易に認識することができ、任意の数の画像を重複することなく効率よく選択することができる。そして、選択した画像は、記録釦５２を押すことにより、メモリカード１３に記録することができる。また、既に選択された画像上に所定のマークを表示し、選択された画像であることを明示するようにすることもできる。
【００５７】
次に、図１６のフローチャートを参照して、連写時のプレビューにおいて、連写した画像を常に多分割表示する場合の処理手順について説明する。最初に、ステップＳ５１において、撮影者により、カメラのモードが連写時のプレビューモードに設定される。次に、ステップＳ５２において、撮影条件が設定される。
【００５８】
ステップＳ５３においては、撮影者により、レリーズ釦３４が押され、撮影が行われる。次に、ステップＳ５４において、撮影された画像に対応する画像データが、信号処理回路１１において補正処理が施された後、フレームメモリ５１に取り込まれる。
【００５９】
ステップＳ５５においては、モニタ５６の画面が連写可能な枚数分の領域に分割される。次に、ステップＳ５６において、連写された全ての画像が各領域に順次表示される。ステップＳ５７においては、画面に表示された画像のうちの先頭の画像、例えば、画面の左上の角に接する領域に表示されている画像上にカーソルが点滅表示される。
【００６０】
次に、ステップＳ５８において、選択釦（コマンドダイヤル）３３が押されたか否かが判定される。コマンドダイヤル３３が押されていないと判定された場合、ステップＳ６２に進み、プレビューモード終了釦５３Ｂが押されたか否かが判定される。プレビューモード終了釦５３Ｂが押されていないと判定された場合、ステップＳ６３に進み、記録釦５２が押されたか否かが判定される。記録釦５２が押されていないと判定された場合、ステップＳ６４に進む。
【００６１】
ステップＳ６４においては、コマンドダイヤル３３が回されたか否かが判定される。コマンドダイヤル３３が回されたと判定された場合、ステップＳ６５に進み、制御回路１４の制御により、次の画像にカーソルが移動し、点滅表示される。ステップＳ６５の処理が終了した場合、または、ステップＳ６４においてコマンドダイヤル３３が回されていないと判定された場合、ステップＳ５８に戻り、ステップＳ５８以降の処理が繰り返し実行される。
【００６２】
ステップＳ５８において、コマンドダイヤル３３が押されたと判定された場合、ステップＳ５９に進み、カーソルが点滅表示されているか否かが判定される。カーソルが点滅表示されていると判定された場合、ステップＳ６０に進み、制御回路１４は、この点滅表示されているカーソルの位置に表示されている画像が選択されたものと判定し、このカーソルの表示を点灯表示に変える。その後、ステップＳ６２に進む。一方、ステップＳ５９において、カーソルが点滅表示されていない（点灯表示されている）と判定された場合、ステップＳ６１に進み、制御回路１４は、このカーソルが点灯表示されている位置に表示されている画像の選択が取り消されたと判断し、カーソルの表示を点灯表示に変え、ステップＳ６２に進む。
【００６３】
このようにして、画面に表示された画像のうちの任意の１または複数の画像を選択することができる。そして、ステップＳ６３において、記録釦５２が押されたと判定された場合、ステップＳ６６に進み、選択された画像、即ち、カーソルが点灯表示される画像がメモリカード１３に記録される。
【００６４】
ステップＳ６６における処理が終了した場合、または、ステップＳ６２において、プレビューモード終了釦６２が押されたと判定された場合、全ての処理を終了する。
【００６５】
次に、図１７のフローチャートを参照して、連写時のプレビューにおいて、連写された画像を１枚ずつ順に表示する処理手順について説明する。最初に、ステップＳ７１において、撮影者により、カメラのモードが連写時のプレビューモードに設定される。次に、ステップＳ７２において、撮影条件が設定される。
【００６６】
ステップＳ７３においては、撮影者により、レリーズ釦３４が押され、連写撮影が行われる。次に、ステップＳ７４において、連写撮影された画像に対応する画像データが、信号処理回路１１において補正処理が施された後、フレームメモリ５１に取り込まれる。
【００６７】
ステップＳ７５においては、制御回路１４の制御により、フレームメモリ５１に記憶された最初のコマの画像データが読み出され、モニタ５６に供給され表示される。次に、ステップＳ７６において、所定の時間だけ経時される。そして、所定の時間が経過すると、ステップＳ７７に進む。
【００６８】
ステップＳ７７においては、制御回路１４の制御により、フレームメモリ５１から次のコマの画像データが読み出され、モニタ５６に供給され表示される。次にステップＳ７８において所定の時間だけ経時され、所定の時間が経過したとき、ステップＳ７９に進み、いまモニタ５６に表示された画像が最終コマの画像であるか否かが判定される。最終コマの画像ではないと判定された場合、ステップＳ７７に戻り、ステップＳ７７以降の処理が繰り返される。これにより、連写された画像が所定の時間間隔で順次、モニタ５６に表示されることになる。
【００６９】
そして、ステップＳ７９において、モニタ５６に最終コマが表示されたと判定された場合、ステップＳ８０に進む。
【００７０】
ステップＳ８０においては、プレビューモード終了釦５３Ｂが押されたか否かが判定される。プレビューモード終了釦５３Ｂが押されていないと判定された場合、ステップＳ８１に進み、記録釦５２が押されたか否かが判定される。記録釦５２が押されていないと判定された場合、ステップＳ８４に進む。
【００７１】
ステップＳ８４においては、コマンドダイヤル３３が回されたか否かが判定される。コマンドダイヤル３３が回されたと判定された場合、ステップＳ８５に進み、制御回路１４の制御により、コマンドダイヤル３３の回転方向と回転量に応じて、連写された画像のうちの所定のコマがモニタ５６の画面に表示される。ステップＳ８５の処理が終了した場合、またはステップＳ８４においてコマンドダイヤル３３が回されていないと判定された場合、ステップＳ８０に戻り、ステップＳ８０以降の処理が繰り返し実行される。
【００７２】
ステップＳ８１において、記録釦５２が押されたと判定された場合、ステップＳ８２に進む。ステップＳ８２においては、制御回路１４の制御により、いま、モニタ５６に表示されている画像に対応する画像データが、フレームメモリ５１から圧縮伸張回路１２に供給され、圧縮された後、メモリカード１３に供給され記録される。
【００７３】
次に、ステップＳ８３において、制御回路１４により、ステップＳ８２においてメモリカード１３に記録された画像に対応する画像データが、フレームメモリ５１から消去される。
【００７４】
次に、図１８のフローチャートを参照して、モニタ５６がコネクタ５５に接続されていない状態では、プレビューモードを無効とする処理手順について説明する。最初に、ステップＳ９１において、検出回路５４により、コネクタ５５にモニタ５６が接続されているか否かが検出される。モニタ５６がコネクタ５５に接続されていることが検出された場合、ステップＳ９２に進み、撮影者により、カメラのモードがプレビューモードに設定される。次に、ステップＳ９３において、撮影条件が設定される。
【００７５】
ステップＳ９４においては、撮影者により、レリーズ釦３４が押され、撮影が行われる。次に、ステップＳ９５において、撮影された画像に対応する画像データが、信号処理回路１１において補正処理が施された後、フレームメモリ５１に取り込まれる。
【００７６】
次に、ステップＳ９６において、フレームメモリ５１に記憶された画像データが、圧縮伸張回路１２、コネクタ５５を介してモニタ５６に供給され、対応する画像が表示される。ステップＳ９７においては、記録釦５２が押されたか否かが判定される。記録釦５２が押されていないと判定された場合、ステップＳ９８に進み、プレビューモード終了釦５３Ｂが押されたか否かが判定される。プレビューモード終了釦５３Ｂが押されていないと判定された場合、ステップＳ９７に戻り、ステップＳ９７以降の処理が繰り返し実行される。
【００７７】
一方、ステップＳ９７において、記録釦５２が押されたと判定された場合、ステップ９９に進み、いま、モニタ５６に表示されている画像に対応する画像データが、フレームメモリ５１から圧縮伸張回路１２に供給され、圧縮処理が施された後、メモリカード１３に供給され、記録される。
【００７８】
ステップＳ９９における処理が終了した場合、またはステップＳ９８において、プレビューモード終了釦５３Ｂが押されたと判定された場合、全ての処理を終了する。
【００７９】
プレビューモードは、撮影した画像をメモリカード１３には記録せずに、コネクタ５５に接続されたモニタ５６に表示するモードである。従って、図１８のフローチャートを参照して上述したように、モニタ５６がコネクタ５５を介して接続されていない場合、プレビューモードを無効とし、モニタ５６がコネクタ５５に接続されている場合においてのみ、プレビューモードを可能とするようにしている。
【００８０】
また、モニタ５６がコネクタ５５に接続されている場合において、制御回路１４がモニタ５６の電源スイッチがオンにされているか否かを検出し、モニタ５６の電源スイッチがオンにされているときだけ、プレビューモードを可能とするようにすることもできる。
【００８１】
次に、図１９のフローチャートを参照して、メモリカード１３の空き容量が所定の基準値以下の場合においてプレビューモードでの撮影が行われた場合の処理手順について説明する。最初に、ステップＳ１０１において、検出回路５４により、コネクタ５５にモニタ５６が接続されているか否かが検出される。モニタ５６が接続されていることが検出された場合、ステップＳ１０２に進み、撮影者により、カメラのモードがプレビューモードに設定される。次に、ステップＳ１０３において、撮影条件が設定される。
【００８２】
ステップＳ１０４においては、撮影者により、レリーズ釦３４が押され、撮影が行われる。次に、ステップＳ１０５において、撮影された画像に対応する画像データが、信号処理回路１１において補正処理が施された後、フレームメモリ５１に取り込まれる。
【００８３】
次に、ステップＳ１０６において、フレームメモリ５１に記憶された画像データが、圧縮伸張回路１２、コネクタ５５を介してモニタ５６に供給され、対応する画像が表示される。
【００８４】
ステップＳ１０７においては、制御回路１４により、メモリカード１３の空き容量がチェックされる。次に、ステップＳ１０８において、メモリカード１３に記録可能な残コマ数がないか否かが判定される。残コマがないと判定された場合、ステップＳ１０９に進み、制御回路１４の制御により、表示装置１５に所定の警告メッセージが表示される。
【００８５】
次に、ステップＳ１１０において、再度メモリカード１３の空き容量がチェックされ、ステップＳ１１１において、メモリカード１３に画像を記録することができるか否かが判定される。メモリカード１３に画像を記録することができないと判定された場合、ステップＳ１１２に進み、コマ消去スイッチ２５が押されたか否かが判定される。コマ消去スイッチ２５が押されたと判定された場合、ステップＳ１１３に進み、最終コマがメモリカード１３から消去される。
【００８６】
次に、ステップＳ１１５に進み、記録釦５２が押されたか否かが判定される。記録釦５２が押されていないと判定された場合、ステップＳ１１６に進み、プレビューモード終了釦５３Ｂが押されたか否かが判定される。プレビューモード終了釦５３Ｂが押されていないと判定された場合、ステップＳ１１５に戻り、ステップＳ１１５以降の処理が繰り返し実行される。ステップＳ１１５において、記録釦５２が押されたと判定された場合、ステップＳ１１７に進み、いま、モニタ５６に表示されている画像に対応する画像データがフレームメモリ５１より読み出され、メモリカード１３に記録される。
【００８７】
また、ステップＳ１０８において、記録可能な残コマがあると判定された場合、ステップＳ１１５に進む。また、ステップＳ１１２において、コマ消去スイッチ２５が押されていないと判定された場合、ステップＳ１１４に進み、プレビューモード終了釦５３Ｂが押されたか否かが判定される。プレビューモード終了釦５３Ｂが押されていないと判定された場合、ステップＳ１０９に戻り、ステップＳ１０９以降の処理が繰り返し実行される。一方、プレビューモード終了釦５３Ｂが押されたと判定された場合、全ての処理を終了する。
【００８８】
また、ステップＳ１０１において、モニタ５６がコネクタ５５に接続されていないことが検出回路５４により検出された場合、または、ステップＳ１１６における処理が終了した場合、またはステップＳ１１７における処理が終了した場合、全ての処理を終了する。
【００８９】
以上のようにして、メモリカード１３に空き容量がない場合、メモリカード１３に空き容量がないことを表す警告メッセージを表示装置１５に表示したり、メモリカード１３にすでに記録されている最終コマを消去することにより、プレビューモードで撮影された画像をメモリカード１３に記録するようにすることができる。
【００９０】
なお、上記実施の形態においては、記録釦５２を設けるようにしたが、例えば、測光モード切り換えスイッチ２２等の他の釦を兼用するようにすることも可能である。
【００９１】
また、プレビューモードの設定および終了は、複数の釦、例えば、感度切り換えスイッチ２１と撮影モード切り換えスイッチ２４が同時に操作されることにより行われるようにすることができる。また、その場合、操作される度に、設定と終了が交互に切り替わるようにすることができる。
【００９２】
また、上記実施の形態においては、デジタルカメラに外部のモニタを接続する場合について説明したが、液晶ディスプレイ等のモニタを内蔵するデジタルカメラにも本発明を適用することができる。
【図面の簡単な説明】
【００９３】
【図１】本発明の撮像装置を応用したデジタルカメラの正面図を示す図である。
【図２】本発明の撮像装置を応用したデジタルカメラの背面図を示す図である。
【図３】本発明の撮像装置を応用したデジタルカメラの平面図を示す図である。
【図４】表示装置１５の表示例を示す図である。
【図５】本発明の撮像装置を応用したデジタルカメラの右側面図を示す図である。
【図６】一括消去スイッチおよびコマ消去スイッチを示す図である。
【図７】本発明の撮像装置を応用したデジタルカメラの詳細な構成例を示すブロック図である。
【図８】プレビュー画像を記録する処理手順を説明するフローチャートである。
【図９】連写時のプレビューで、任意の画像を記録する処理手順を説明するフローチャートである。
【図１０】連写時のプレビューで、任意の画像を記録する他の処理手順を説明するフローチャートである。
【図１１】連写時のプレビューで、連写枚数に応じて表示画面を分割する処理手順を説明するフローチャートである。
【図１２】分割された表示画面の例を示す図である。
【図１３】分割された表示画面の他の例を示す図である。
【図１４】分割された画面の各領域に表示された画像をカーソルを用いて選択する様子を示す図である。
【図１５】分割された画面の各領域に表示された画像をカーソルを用いて選択した様子を示す図である。
【図１６】連写時のプレビューにおいて、常に多分割表示を行う場合の処理手順を説明するフローチャートである。
【図１７】連写時のプレビューにおいて、連写した画像を１枚ずつ画面に表示させる場合の処理手順を説明するフローチャートである。
【図１８】モニタが接続されている場合のみプレビューモードを有効とする処理手順を説明するフローチャートである。
【図１９】メモリカード１３に空き容量がない場合の処理手順を説明するフローチャートである。
【符号の説明】
【００９４】
１  レンズ
２  絞り
３  クイックリターンミラー
４  多分割ＳＰＤ
５  シャッタ
６  測光アンプ
７  絞り駆動回路
８  シャッタ駆動回路
９  ＣＣＤ
１０  ＣＣＤ駆動回路
１１  信号処理回路
１２  圧縮伸張回路
１３  メモリカード
１４  制御回路
１５  表示装置
１６乃至１８  スイッチ
１９  撮影／再生選択スイッチ
２０  パルス発生器
２１  感度切り換えスイッチ
２２  測光モード切り換えスイッチ
２３  露出補正切り換えスイッチ
２４  撮影モード切り換えスイッチ
２５  コマ消去スイッチ
２５Ａ，２５Ｂ  コマ消去釦
２６  モータ
２７  レンズ装着部
２８  ＣＰＵ信号接点
２９  カード挿入イジェクトレバー
３０  イジェクトレバーロック釦
３１  カード挿入部
３２  メモリカード在否確認窓
３３  コマンドダイヤル
３４  レリーズ釦
３５  コマンドロック釦
３６  再生端子
３７  デジタル出力端子
３８  一括消去スイッチ
３９  絞りダイヤル
４０  蓋
４３  ＡＦモータ
４５  ファインダ
４６  ファインダ表示部
５１  フレームメモリ
５２  記録釦
５３Ａ  プレビューモード設定釦
５３Ｂ  プレビューモード終了釦
５４  検出回路
５５  コネクタ
５６  モニタ
【図１】
2006352925.tif 000003
【図２】
2006352925.tif 000004
【図３】
2006352925.tif 000005
【図４】
2006352925.tif 000006
【図５】
2006352925.tif 000007
【図６】
2006352925.tif 000008
【図７】
2006352925.tif 000009
【図８】
2006352925.tif 000010
【図９】
2006352925.tif 000011
【図１０】
2006352925.tif 000012
【図１１】
2006352925.tif 000013
【図１２】
2006352925.tif 000014
【図１３】
2006352925.tif 000015
【図１４】
2006352925.tif 000016
【図１５】
2006352925.tif 000017
【図１６】
2006352925.tif 000018
【図１７】
2006352925.tif 000019
【図１８】
2006352925.tif 000020
【図１９】
2006352925.tif 000021